Podtech/llm-jp-corpus-v4-ja_patent huggingface dataset:
(57)【要約】      （修正有）【課題】利用者の入力情報が、当利用者の指の動きから、盗み見させることを防ぐ事の出来るＡＴＭを提供すること。【解決手段】タッチパネル１の裏面又は表面に、２枚の可視角度コントロールフィルムを９０度回転させ（ずらせて）装着する事により、前方、後方、左の方、右の方からタッチパネルの内容が見えないようにすること。及び、ＡＴＭ利用者の入力の際、タッチパネル上に出力される（映し出され）諸要素、即ち１，２，３，４，５，６，７，８，９，０の数字に加え、アルファベットや「かな」等、あらゆる言語の言語因子の位置を、諸要素の順番を変えないで、入力毎に変形させたり、回転させたり、或いは又、乱数プログラムに依り、入力毎に、順番を不規則に（バラバラに）、変形させる為の、位置変更プログラムを、ＡＴＭ本体とタッチパネルとの間に挿入する。【選択図】図１
2007087350.tif 000002
【特許請求の範囲】
【請求項１】
金融機関ＡＴＭを次のように改造すること。
即ち、ハード面として、同ＡＴＭのタッチパネル裏面又は表面に、縦方向（即ちＡＴＭのあちら方向とこちら方向）及び横方向（即ちＡＴＭの左方向と右方向）に、死角を形成する為の視野角調整（偏光）構造を施し、尚且つ、ソフト面として、同ＡＴＭ利用者の入力の際、
タッチパネル上に出力される（映し出される）諸要素、即ち
１，２，３，４，５，６，７，８，９，０の数字に加え、アルファベットや「かな」等、あらゆる言語の言語因子の位置を、
Ｉ，上記諸要素の順番を変えないで、該当入力毎に変形させたり、回転させたり、
ＩＩ，或いは又、乱数プログラムに依り、該当入力毎に、順番を不規則に（バラバラに）、変化させる為の、
位置変更プログラムを、ＡＴＭ本体とタッチパネルとの間に挿入する事。
【発明の詳細な説明】
【技術分野】
【０００１】視野角調整（偏光）構造は、携帯電話等に用いられている可視角度コントロールフィルム２枚を９０度回転させ（ずらせて）、ＡＴＭタッチパネルの裏面又は表面に装着する事。位置変更プログラムは、集合住宅の入室、又は、呼び出しのコントロールに使われているソフトウェアを少し手直しすれば、直ぐ出来るものである。
【背景技術】〔技術分野〕参照
【発明の開示】
【発明が解決しようとする課題】
【０００２】
【０００３】可視角度コントロールフィルム２枚を、９０度回転させ（ずらせて）ＡＴＭタッチパネルの裏面又は表面に装着すること。及び同ＡＴＭ利用者の入力の際、
タッチパネル上に出力される（映し出される）諸要素、即ち
１，２，３，４，５，６，７，８，９，０の数字に加え、アルファベットや「かな」等、あらゆる言語の言語因子の位置を、
Ｉ，上記諸要素の順番を変えないで、該当入力毎に変形させたり、回転させたり、
ＩＩ，或いは又、乱数プログラムに依り、該当入力毎に、順番を不規則に（バラバラに）、変化させる為の、
位置変更プログラムを、ＡＴＭ本体とタッチパネルとの間に挿入する事。
以上金融機関ＡＴＭに於るハード面の改造と、ソフト面の改造の二件を組み合わせる事。
従来の金融機関ＡＴＭに於ては、ＡＴＭ利用者の入力情報が、当利用者の指の動きから、盗み見されることが容易で、諸犯罪のカギになっている。
【課題を解決するための手段】
【０００４】金融機関ＡＴＭタッチパネルの裏面又は表面に、２枚の可視角度コントロールフィルムを９０度回転させ（ずらせて）装着する事により、前方、後方、左の方、右の方からタッチパネルの内容が見えないようにすること。及び、同ＡＴＭ利用者の入力の際、
タッチパネル上に出力される（映し出される）諸要素、即ち
１，２，３，４，５，６，７，８，９，０の数字に加え、アルファベットや「かな」等、あらゆる言語の言語因子の位置を、
Ｉ，上記諸要素の順番を変えないで、該当入力毎に変形させたり、回転させたり、
ＩＩ，或いは又、乱数プログラムに依り、該当入力毎に、順番を不規則に（バラバラに）、変化させる為の、
位置変更プログラムを、ＡＴＭ本体とタッチパネルとの間に挿入する事。
【発明の効果】
【０００５】上記〔課題を解決するための手段〕に因り、前後及び左右から見た、ＡＴＭ利用者の指の動きが、同者が入力する個人情報の盗み見に結びつかず、これらの漏洩は、当改造に因り格段に困難なものとなる。
【発明を実施するための最良の形態】上記〔発明の開示〕で示した通りです。
【実施例】
【０００６】〔発明の効果〕参照
【産業上の利用可能性】
【０００７】
【０００８】当装置の装着は安価で容易なため、世界中のＡＴＭで、直ちに利用可能である。
【図面の簡単な説明】
【０００９】
【図１】図１は、一枚目の可視角度コントロールフィルムに依って、前後の死角と可視角が出来た事を示す側面図。
【図２】図２は、二枚目の可視角度コントロールフィルムに依って、左右の死角と可視角が出来た事を示す正面図。
【図３】図３は、ＡＴＭ本体とタッチパネルとの間に、タッチパネル上の出力要素の配置に変化を加えるための、位置変更プログラムを挿入することを示す。
【符号の説明】
【００１０】１はタッチパネル。２は死角。３は可視角  ４は人。
【図１】
2007087350.tif 000003
【図２】
2007087350.tif 000004
【図３】
2007087350.tif 000005
(57)【要約】      （修正有）【課題】移動電話に充電するため充電用コネクターをセットしたとき、移動電話と充電コネクターのケーブルが無理な曲がり無く接続することが出来る多機種の移動電話に対応した充電ケーブルの提供。【解決手段】充電コネクターケーブルは、複数の異なったコネクターを収納したコネクターケース１の中心を支点とし、Ｙ字接点付電源ケーブル２を配すことでコネクターケース１は回転又は、脱着差換えにより移動電話へ最善な接続位置合せすることが出来る。その支点となるケーブルのＹ字接点の一方を＋極、反対側を−極に配線することで通電が確保出来、そのケーブルの軸に接触する様コネクターケース１の支点に電極を配し、３６０°の回転脱着に於いても通電の確保は出来る複数の異なったコネクター３，４，５を収納する。【選択図】図１
2007087613.tif 000002
【特許請求の範囲】
【請求項１】
移動電話の充電用ケーブルにおける接続コネクターであって、その接続コネクターは複数の異なった接続コネクターを同一ケース内に収納し、そのケースの中心を支点としてコネクターケースが回転或は、充電ケーブルをコネクターケースに差換えて自由位置合せの出来る移動電話用充電ケーブル。
【発明の詳細な説明】
【技術分野】
【０００１】
本考案は、移動電話の充電ケーブルにおける接続コネクターに関するものである。
【背景技術】
【０００２】
一般的な移動電話用の充電ケーブルは個々の移動電話専用のケーブルを使用する。
【０００３】
そして今日、移動電話の充電ケーブルは多種の移動電話に一本の充電ケーブルで適合出来る様にコネクターを複数備えた充電ケーブルが用いられておる。この種の充電ケーブルを用いることで移動電話を機種変更した場合も対応可能であるため日々普及しておるのが現状である。
【０００４】
個々の移動電話専用の充電ケーブルは、その移動電話に合った接続で有るため見栄え良く、機能的に接続出来ている。しかし、単に接続ネクターを複数個取付けただけの充電ケーブルでは移動電話にケーブルを取付けた場合、各コネクターはコネクターケースに固定したもので有るから電源ケーブルもある特定方向位置になってしまう。当然にして移動電話にケーブルをセットした場合、ケーブルの方向性は選ぶことが出来ず移動電話の向きに対し不自然な方向の接続を余技無くなってしまう。
【０００５】
そこで、当該品はケーブに対しコネクターケースを回転させることでどの様な機種の移動電話にも機能的に見栄え良く接続でき、無理なケーブルの曲げも生じないのでケーブルの断線を最小限に回避することが出来る多機種用移動電話充電用ケーブルを開発をするものである。
【特許文献１】実用新案第３０５３３１７号
【特許文献２】実用新案第３０６９７０５号
【非特許文献１】各移動電話キャリア発行の取扱い説明書、意匠登録第１２１１３０２
【発明の開示】
【発明が解決しようとする課題】
【０００６】
移動電話に充電するため充電用コネクターをセットしたとき、移動電話と充電コネクターのケーブルが無理な曲がり無く接続することが出来る多機種の移動電話に対応した充電ケーブルを提供することにある。
【課題を解決するための手段】
【０００７】
解決しようとする手段として、多機種移動電話に対応するために、まずコネクターケースを設けそのケースに必要な移動電話に接続可能なコネクターを配し、電源ケーブルと接続するが、その電源ケーブルに対しコネクターケースが回転することで特定の移動電話への充電ケーブルを無理無く接続出来最善な接続環境を整えることが可能となる。
【発明の効果】
【０００８】
本発明は、図１に示すコネクターケース（１）の中心を支点としコネクターケース（１）が回転することで接続しようとする移動電話のコネクター位置、方向に関係なく最善な接続環境を整えることが出来る。
【発明を実施するための最良の形態】
【０００９】
本発明は、コネクターケース（１）の中心を支点として「Ｙ」字型の支柱を設けその支柱に配線を施し電源ケーブルを整える。「Ｙ」字型の支柱の先端には一方から「＋」もう一方から「−」用の電極を備えたシャフト、又は接点を用いることでコネクターケース（１）に接続する、コネクターケース（１）の支点にも電極を配し、コネクターケース（１）内で各コネクターに結線することで通電が可能となる。
又、コネクターケース（１）と電源ケーブルを配した「Ｙ」字方の支柱とは連結、若しくは脱着式の何れの方法でも本発明の機能を有することが出来る。
【実施例１】
【００１０】
本発明の実施に当たっては現在、日本国内においては「ＰＤＣ」「FＯＭＡ」「ＣＤＭＡ」方式の移動電話が有り、それぞれの充電用接続コネクターは異なる物である。海外の移動電話においては数十種の接続コネクターが存在しており、必要に応じた種類のコネクターを同一コネクターケースに収納することが出来る。
【００１１】
よって、従来の充電ケーブルでは個々の移動電話専用のケーブルでしか充電することが出来ない状況である。
しかし、本発明品を使用することでコネクターケース（１）に取付けたコネクター(３)(４)(５)の数だけ異なった種類の移動電話に一本の充電ケーブルで対応することが出来る。
【００１２】
移動電話への充電はそれぞれの移動電話においても同一の「ＤＣ」電源を使用するので本発明品の電源側は、「ＡＣ、ＤＣ」変換器から又は、発電式の電源、或はコンピュータの「ＵＳＢ」電源を利用することを含む何れの電源用接続方法でも移動電話に即した電源であれば支障はない。
【００１３】
本発明品での実際の使用に於いては、コネクターケース（１）に取付けたコネクター(３)(４)(５)の数だけ異なった種類の移動電話に接続対応できる。
【産業上の利用可能性】
【００１４】
以上の構成に基づいて本発明は、コネクターケース（１）の中心を支点とした電源ケーブールを取り付けることにより様々な移動電話の充電用接続コネクターの位置、向きに関係なく最善の状態で接続することが出来る移動電話各機種に対応した充電コネクターケーブルを提供することが出来る。
【図面の簡単な説明】
【００１５】
【図１】本発明に供する充電コネクターケーブルの外観図（実施例１）
【図２】本発明に供する充電コネクターケーブルの回転途中段階を示す外観図（実施例１）
【図３】本発明に供する電源コネクターケーブルのコネクター部とＹ字接点付電源ケーブルの分離された外観図（実施例１）
【符号の説明】
【００１６】
(１)      コネクターケース
(２)      Ｙ字接点付電源ケーブル
(３)      コネクターA
(４)      コネクターB
(５)      コネクターC
(６)      接点(＋)
(７)      接点(−)
【図１】
2007087613.tif 000003
【図２】
2007087613.tif 000004
【図３】
2007087613.tif 000005
(57)【要約】【課題】  清掃すべき時期を正確に判定することの可能な静電気除電器を提供する。【解決手段】  放電電極に印加される高電圧＋ＨＶを抵抗分圧して比較器２４の一端へ供給し、比較器２４の他端へは基準電圧を供給する。高電圧＋ＨＶが所定値以下になったら比較器２４の出力がＬレベルになり、清掃時期の到来を示すＬＥＤ１８が点灯する。【選択図】      図２
2007087791.tif 000002
【特許請求の範囲】
【請求項１】
放電電極へ印加される高電圧を発生する高電圧発生回路と、
放電電極に印加される電圧を、放電電極の清掃時期が来たときの基準電圧値と比較する電圧比較回路と、
放電電極に印加される電圧が基準電圧値以下であるときアラームを出力するアラーム出力部とを具備する静電気除電器。
【請求項２】
前記基準電圧値は、所要の除電時間に基いて定められる請求項１記載の静電気除電器。
【発明の詳細な説明】
【技術分野】
【０００１】
本発明は、放電電極の清掃時期（クリーニング時期）が来たことを知らせるアラームを出力する機能を有する静電気除電器（イオナイザ）に関する。
【背景技術】
【０００２】
コロナ放電により空気をイオン化しイオン化した空気を被帯電物に吹き付けて除電を行う静電気除電器（イオナイザ）は例えば下記特許文献１に記載されている。
【０００３】
この種の静電気除電器では、高電圧電源部や放電電極部が汚れるとコロナ放電性能が低下して所定時間内に除電が充分に行なわれない。ここで、静電気除電器においての高電圧とは、通常１ＫＶ以上、十数ＫＶまでのものをいう。一般に、汚れによりコロナ放電性能がどの程度低下したかを直接知ることは容易ではないので、従来では、所定の除電性能を確保するため、汚れの程度に関係なく定期的に清掃を行っていた。
【０００４】
下記特許文献２には、正負イオンのイオンバランス制御を行う除電器において、イオンバランスの制御値に基いてクリーニング時期の表示を行う装置が記載されている。このイオンバランス制御はイオン化した空気の流れの中に置かれた正および負イオン電流検出電極と接地との間に流れるピコアンペアオーダーの微少なイオン電流に基いて行なわれる。したがって、電極に誘起されるノイズ電圧や、使用環境下におけるノイズに影響され、性能低下の程度を正確に決定することが困難である。
【０００５】
【特許文献１】特開２００２−７５５８９号公報
【特許文献２】特開２００３−１７２９３号公報
【発明の開示】
【発明が解決しようとする課題】
【０００６】
本発明の目的は、清掃時期を予め定めた基準に従って正確に決定することが可能なアラーム出力機能を備えた静電気除電器を提供することにある。
【課題を解決するための手段】
【０００７】
本発明によれば、放電電極へ印加される高電圧を発生する高電圧発生回路と、放電電極に印加される電圧を、放電電極の清掃時期が来たときの基準電圧値と比較する電圧比較回路と、放電電極に印加される電圧が基準電圧値以下であるときアラームを出力するアラーム出力部とを具備する静電気除電器が提供される。
【０００８】
この基準電圧値は、例えば、所要の除電時間に基いて定められる。
【発明の効果】
【０００９】
本発明によれば、汚れにより電極と接地との間の絶縁抵抗が低下して放電電極の電圧が低下すること、及び電極電圧の低下と除電時間（所定の除電効果を得るまでに要する時間）との間に一定の関係があることに着目し、電極電圧を基準値と比較して、清掃時期の到来を示すアラームを出力する構成とすることにより、精度の良い判定が可能となる。
【００１０】
〔発明の実施の形態〕
図１は本発明の一実施形態に係る、アラーム機能を有する静電気除電器の概略構成を示す。図１において、高電圧発生部１０は直流電源から数千ボルトの正と負の高電圧＋ＨＶおよび−ＨＶを発生して正負それぞれの放電電極１２，１４へ供給して接地との間でコロナ放電を起こさせる。電圧比較部１６は電極１２，１４と接地との間の電圧を予め定めた所定値と比較し、電圧の絶対値が所定値以下となったら、ＬＥＤ１８の点灯やブザー３０の鳴動により清掃時期が来たことを知らせる。
【００１１】
表１は電極針電圧と除電時間、すなわち、静電気除電器正面から３０cm離れた場所で＋１０００Ｖにチャージした金属板の電圧が＋１００Ｖまで減衰するに要する時間との関係を測定した結果の一例を示す。
【００１２】
【表１】
2007087791.tif 000003
【００１３】
表１から例えば除電時間を０．５秒以下に維持したい場合には、前述の所定値を４kVとし、アラームが点灯したら清掃するようにすれば良い。ピコアンペアオーダのイオン電流を測定する場合と比べて、電極針の電圧は、ノイズの影響なくはるかに正確に測定することができるので、清掃時期の到来をより正確に判定することができる。
【００１４】
図２は電圧比較部１６の具体的な回路構成の一例を示す図である。図２において抵抗２０，２２は数千ボルトの高電圧を１ボルト程度に分圧するために設けられている。比較器として用いられるＯＰアンプ２４の非反転入力には抵抗２０，２２で分圧された電圧が入力され、反転入力には定電圧源２６からの前記基準電圧に相当する電圧が入力される。抵抗２０，２２で分圧された電圧が基準電圧以下になるとＯＰアンプ２４の出力はＨレベルからＬレベルに変わり、ＬＥＤ１８を点灯させる。
【００１５】
図２の回路では正側の電圧のみについて判定を行っているが、同様な回路を２系統用いて正・負それぞれの電極についてアラームを出力するようにすることもできる。また、正負のアラーム出力の論理和でＬＥＤを点灯させるようにしても良い。
【００１６】
図３は図２の回路の一変形を示す。図３の例において、定電流源２６からの定電圧が抵抗分圧されて基準電圧としてＯＰアンプ２４の反転入力端子へ供給される。そして分圧抵抗の一方がスイッチで切り替え可能であり、このスイッチを切り替えることによりアラームのレベル、すなわち、維持すべき除電時間のレベルを切り替えることができる。
尚、上記実施例は、直流高圧電源部を有する静電気除電器について説明したものであるが、本発明は、これに限るものではなく、交流高圧電源部を有する静電気除電器についても適用し得るものであることは、言うまでもない。
【図面の簡単な説明】
【００１７】
【図１】本発明の一実施形態に係る静電気除電器の概略構成を示すブロック図である。
【図２】電圧比較部１６の具体的な回路構成の一例を示す回路図である。
【図３】図２の回路の変形を示す回路図である。
【図１】
2007087791.tif 000004
【図２】
2007087791.tif 000005
【図３】
2007087791.tif 000006
(57)【要約】      （修正有）【課題】新しいエネルギー源を、作り出そうとする物である。【解決手段】細胞チップを、エネルギー源にする事により、新しいエネルギー源を、作り出して行こうとする物である。【選択図】図１
2007087914.tif 000002
【特許請求の範囲】
【請求項１】
細胞チップ（１）を、あらゆる物に、備え付ける事も可能にし、水、風、熱などから、エネルギーを作り出す。
【請求項２】
蓄電器（２）で、蓄電できる様にする。
【発明の詳細な説明】
【発明の詳細な説明】
【技術分野】本発明は、細胞チップを、あらゆる物に、備え付ける事も可能にし、水、風、熱などから、エネルギーを作り出し、蓄電も出来る様にする、新しいエネルギー源である。
【背景技術】細胞チップを、エネルギー源にし、蓄電出来る物がない。
【考案が解決しようとする課題】
細胞チップを、エネルギー源にする事により、より多くのエネルギーを、効率よく供給できる様にする。
【図面の簡単な説明】全体図
【図１】
2007087914.tif 000003
【手続補正書】
【提出日】平成17年12月8日(2005.12.8)
【手続補正１】
【補正対象書類名】明細書
【補正対象項目名】全文
【補正方法】変更
【補正の内容】
【発明の詳細な説明】
【発明の詳細な説明】
【技術分野】本発明は、細胞チップを、あらゆる物に、備え付ける事も可能にし、水、風、熱などから、エネルギーを作り出し、蓄電も出来る様にする、新しいエネルギー源である。
【背景技術】細胞チップを、エネルギー源にし、蓄電出来る物がない。
【考案が解決しようとする課題】
細胞チップを、エネルギー源にする事により、より多くのエネルギーを、効率よく供給できる様にする。
【図面の簡単な説明】
【図１】細胞チップを並べた立体図
【図２】蓄電器
【符号の説明】
１細胞チップを並べた立体図
２蓄電器
(57)【要約】【課題】  電気自動車の電源バッテリーに対する膨大な給電設備を必要とせず、且つその給電時間も不要とした電気自動車のバッテリー補充システムを提供する。【解決手段】  電気自動車（Ａ）の床の高さを有するローラー付プラットホーム（１）の途中に、バッテリー充電設備（２）を備え、該ホーム（１）の初端部（４）から未充電バッテリー（３）を送り込んで充電すると共に、充電済バッテリー（５）を終端部（６）へ移動してバッテリーの自動車積載交換待機状態としてなる電気自動車のバッテリー補充システム。【選択図】  図１
2007087912.tif 000002
【特許請求の範囲】
【請求項１】
自動車のほぼ床の高さを有するローラー付プラットホーム（１）の途中に、バッテリー充電設備（２）を備え、該ホーム（１）の初端部（４）から未充電バッテリー（３）を順次送り込んで充電すると共に、充電済バッテリー（５）を終端部（６）へ移動してバッテリーの自動車積載交換待機状態としてなる電気自動車のバッテリー補充システム。
【請求項２】
当該システムがコンビニ・ホームセンター・サービスエリア等に設置利用されることを特徴とする請求項１記載の電気自動車のバッテリー補充システム。
【発明の詳細な説明】
【技術分野】
【０００１】  本発明は、電気自動車におけるバッテリー補充システムに関する。
【従来技術】
【０００２】  従来、電気自動車はその走行駆動源として電動モーターが使用されている。またその電源としてバッテリーが用いられている。
【発明が解決しようとする課題】
【０００３】  電気自動車は、ガソリンエンジン等のように有害排気ガスを発生しないので、地球環境的にも最も期待されている。
しかしながら、その出力が比較的弱いことや、過大なバッテリー重量がネックとなってその普及が遅れている。
また、バッテリーの持続時間が非常に短いためその走行距離も限定的となっている。
【０００４】  上記問題点に対して、小型軽量の高性能バッテリーの開発が進められているがコスト的にも技術的にも容易ではない。
現状では、全国各地にバッテリー充電施設をガリンスタンドのように設置することが急務とされている。
仮に上記施設ができても、自動車を一旦駐車して充電するためには、かなりの充電時間を要するため、急速充電技術の開発も難問として残されている。
【課題を解決するための手段】
【０００５】  上述に鑑み本発明は、バッテリー充電施設を全国各地に莫大な費用をもって設置する必要がなく、且つバッテリー充電時間を要さず、駐車時間のロスタイムをも無くすることができる画期的システムを提供するものである。
【発明の実施の形態・実施例】
【０００６】  自動車のほぼ床の高さを有するローラー付プラットホーム（１）の途中にバッテリー充電設備（２）を備え、該ホーム（１）の初端部（４）から未充電バッテリー（３）を順次送り込んで充電すると共に、充電済バッテリー（５）を終端部（６）へ移動し、自動車へのバッテリー交換の待機状態としてなるものである。
【０００７】  バッテリーの充電を要する自動車（Ａ）は、前記ホーム（１）の終端部（６）の位置に駐車して後部トランクを開け、積載しているバッテリーを取り外し、前記充電済バッテリー（５）と交換して取り付ける。自動車（Ａ）は積載バッテリー交換の僅かな手間と時間のみにて直ちに発進できる。
【０００８】  取り外したバッテリー（３）は、前記ホーム（１）の初端部（４）へ移動させ、前述の手順で再び充電し、取り替え交換待機状態に整列しておく。
なお該バッテリーは、互換性のある共通したものに統一しておけば、サイクル的に循環利用できる。
またバッテリーの積載場所が、自動車後部であっても側部であっても前部であっても、適宜に対応して自由に設計変更できる。更にハイブリッドカーにも利用できる。
なお本発明は、例えばコンビニやホームセンター、サービスエリア等の小スペースを利用してストックハウス的に設置できる。
【発明の効果】
【０００９】  上述のように本発明は、莫大な費用をもって全国各地にバッテリー給電所を設置する必要がなく、また長時間に亘る給電時間も要らない。しかも膨大な設備投資を必要とせず、僅かな維持管理費用で運営できるし、ひいては電気自動車の普及発展に大いに寄与することができる。
【図面の簡単な説明】
【００１０】
【図１】    本発明の１実施例を示す概略側面図。
【符号の説明】
【００１１】        １    ローラー付プラットホーム
２    バッテリー充電設備
３    未充電バッテリー
４    初端部
５    充電済バッテリー
６    終端部
７    充電中バッテリー
Ａ    電気自動車
【図１】
2007087912.tif 000003
(57)【要約】【課題】簡素で安価な部品構成で、定着ベルトの蛇行を抑制し、寄りによる定着ベルトの皺、捲れを防止することができるベルト定着装置を提供することを目的とする。【解決手段】定着ベルト１を定着ローラ２、加熱ローラ３、テンションローラ４に掛け渡したベルト定着装置において、定着ベルト１の幅方向両端部と、ローラ軸取り付け板７の内側のそれぞれに、同一磁極からなる第１、第２位置補正部材６ａ、６ｂを対向配設したことを主要な構成とする。【選択図】図３
2007248630.tif 000002
【特許請求の範囲】
【請求項１】
定着ベルトを定着ローラ、加熱ローラ、テンションローラに掛け渡した状態で定着ベルトを回転駆動させるベルト定着装置において、前記定着ベルトの幅方向両端部と、該定着ベルトの幅方向両端側に位置するローラ軸取り付け板の内側のそれぞれに、同一磁極が対向配置されるように永久磁石から成る第１、第２位置補正部材を配設したことを特徴とするベルト定着装置。
【請求項２】
請求項１記載のベルト定着装置において、前記定着ベルトの下方に位置する下フレーム板の上面に、前記定着ベルトに設けた前記第１位置補正部材と異極の永久磁石から成る第３位置補正部材を対向配設したことを特徴とするベルト定着装置。
【請求項３】
請求項１又は２記載のベルト定着装置を搭載したことを特徴とする画像形成装置。
【発明の詳細な説明】
【技術分野】
【０００１】
本発明は、ベルト定着装置及びそのベルト定着装置を搭載する電子写真方式の画像形成装置に関する。
【背景技術】
【０００２】
図４は従来例に係るベルト定着装置の正面図、図５は従来例に係るベルト定着装置の一部断面側面図である。定着ベルト１が定着ローラ２と、寄り止め４を有する加熱ローラ３と、テンションローラ５とに掛け渡されている。寄り止め４は、図５に示すように、加熱ローラの軸３ａの端部に設けている。
この定着装置においては、定着ベルト１が回転中に蛇行し徐々に片側に寄ると寄り止め４に干渉してしまう場合がある。さらに定着ベルト１の回転を続けると、寄り止め４に干渉している定着ベルト１に皺が発生したり、捲れたりしてしまい画像を形成できなくなってしまう欠点がある。
斯かる欠点を解決するものとして、例えば特許文献１には、センサーレバー、フォトセンサー等から構成されるベルト端部位置検知装置によりベルトの寄りを検知し、ベルト寄りの修正手段として端部位置検知装置を設け、テンションローラの奥側を上下動させてベルトの寄り制御を行っている定着装置が提案されている。
【特許文献１】特開平６−２７１１３４号公報
【発明の開示】
【発明が解決しようとする課題】
【０００３】
しかしながら、上記の定着装置は、部品点数も多く機構が複雑で、高価なものになってしまうという欠点がある。
本発明は、簡素で安価な部品構成で、定着ベルトの蛇行を抑制し、寄りによる定着ベルトの皺、捲れを防止することができるベルト定着装置を提供することを目的とする。
【課題を解決するための手段】
【０００４】
上記目的を達成するために、請求項１記載の発明は、定着ベルトを定着ローラ、加熱ローラ、テンションローラに掛け渡したベルト定着装置において、定着ベルトの幅方向両端部と、ローラ軸取り付け板の内側のそれぞれに、同一磁極からなる第１、第２位置補正部材を対向配設したベルト定着装置を最も主要な特徴とする。
請求項２記載の発明は、請求項１記載のベルト定着装置において、定着ベルトの下方に位置する下フレーム板の上面に、定着ベルトの第１位置補正部材と異極の第３位置補正部材を対向配設したベルト定着装置を主要な特徴とする。
請求項３記載の発明は、請求項１又は２記載のベルト定着装置を搭載した画像形成装置を最も主要な特徴とする。
【発明の効果】
【０００５】
本発明は、定着ベルトを定着ローラ、加熱ローラ、テンションローラに掛け渡したベルト定着装置において、定着ベルトの幅方向両端部と、ローラ軸取り付け板の内側のそれぞれに、同一磁極からなる第１、第２位置補正部材を対向配設したので、簡素で安価な部品構成で、定着ベルトの蛇行を抑制し、寄りによる定着ベルトの皺、捲れを防止することができる。
【発明を実施するための最良の形態】
【０００６】
以下、本発明の実施の形態を図面に従って説明する。なお、図４、図５と同一箇所は同一符号を付して、重複する説明は省略する。
図１は本発明の実施の形態に係るベルト定着装置の斜視図、図２は同、正面図、図３（１）、（２）は一部断面側面図である。
このベルト定着装置は、複写機、プリンタ、ファクシミリ装置等の電子写真式画像形成装置の画像形成部に装備される。画像形成部は、像担持体（感光体）と、感光体を一様に帯電する帯電部と、感光体上を露光する露光部と、露光により感光体上に形成された静電潜像にトナーを供給して現像する現像部と、感光体上のトナー像を転写紙上に転写する転写部と、トナー像の転写を受けた転写紙を受け入れて画像を定着する定着部（ベルト定着装置）と、を備えている。
【０００７】
図３に示すように、定着ベルト１の幅方向外側面両端部（外周面）に第１位置補正部材６ａが設けてあり、テンションローラ５の軸５ａの両端に設けられた支持板７の内側面に、第１位置補正部材６ａと対向して第２位置補正部材６ｂが設けてある。また、下フレーム板８の上面両端部には、定着ベルト１に設けた第１位置補正部材６ａと対向して第３位置補正部材６ｃが設けてある。
ここで、第１、第２位置補正部材６ａ、６ｂは同一極の磁石で構成されている。従って、定着ベルト１と支持板７に配設された第１位置補正部材６ａ及び第２位置補正部材６ｂは、磁性作用により両者の距離を保とうと反発作用するので、定着ベルト１の寄り止め４への寄りを抑制することができる。
このように本発明は、定着ベルトを定着ローラ、加熱ローラ、テンションローラに掛け渡した状態で定着ベルトを回転駆動させるベルト定着装置において、定着ベルトの幅方向両端部と、該定着ベルトの幅方向両端側に位置するローラ軸取り付け板の内側のそれぞれに、同一磁極が対向配置されるように永久磁石から成る第１、第２位置補正部材を配設した構成が特徴的である。
また、下フレーム板８に配設された第３位置補正部材６ｃは定着ベルト１に配設されている第１位置補正部材６ａと異極の磁石で構成されることから、互いの磁性作用にて引き付け合おうとすることより、定着ベルト１の寄り止め４への寄りを抑制することができる。
【図面の簡単な説明】
【０００８】
【図１】本発明の実施の形態に係るベルト定着装置の斜視図。
【図２】図１のベルト定着装置の正面図。
【図３】図１のベルト定着装置の一部断面側面図。
【図４】従来例に係るベルト定着装置の正面図。
【図５】従来例に係るベルト定着装置の一部断面側面図。
【符号の説明】
【０００９】
１  定着ベルト、２  定着ローラ、３  加熱ローラ、４  寄り止め、５  テンションローラ、６ａ  第１位置補正部材、６ｂ  第２位置補正部材、６ｃ  第３位置補正部材、７  支持板（ローラ軸取り付け板）、８  フレーム板
【図１】
2007248630.tif 000003
【図２】
2007248630.tif 000004
【図３】
2007248630.tif 000005
【図４】
2007248630.tif 000006
【図５】
2007248630.tif 000007
(57)【要約】      （修正有） 【課題】小径の軸部品の一端面に軸中心線に沿って穿設した比較的深い小径の第１油穴の異物有無の確認を、容易に行い得るように補助する方法を提供する。【解決手段】軸部品における一端面から第１油穴に棒状の発光手段を挿入して第１油穴内を照らすとともに、第１油穴内の異物の有無を第２油孔から目視によって確認することを特徴とする。【選択図】 図１
2007248099.tif 000002
【特許請求の範囲】
【請求項１】
直径１０〜２０ｍｍ、長さ５０〜１００ｍｍの棒状体を成し、一端面のほぼ中心に軸中心線に沿って延びる直径３〜１０ｍｍ、深さ４５〜９０ｍｍの第１油穴を穿設し、かつこの第１油穴に貫通する直径３〜５ｍｍの第２油孔を外周面に有し、さらにショットが投射された軸部品における前記第１油穴内の異物の有無を確認する方法であって、
前記軸部品における一端面から前記第１油穴に棒状の発光手段を挿入して前記第１油穴内を照らすとともに、前記第１油穴内の異物の有無を前記第２油孔から目視によって確認することを特徴とする軸部品における油穴内の異物有無の確認方法。
【請求項２】
直径１０〜２０ｍｍ、長さ５０〜１００ｍｍの棒状体を成し、一端面のほぼ中心に軸中心線に沿って延びる直径３〜１０ｍｍ、深さ４５〜９０ｍｍの第１油穴を穿設し、かつ前記第１油穴に貫通する直径３〜５ｍｍの第２油孔を外周面に有し、さらにショットが投射された軸部品における前記第１油穴内の異物の有無を確認するに際し、その確認を補助する装置であって、
前記軸部品を支持可能な支持手段と、
この支持手段に装着され前記軸部品が支持手段上の所定位置にセットされる際に前記軸部品の前記第１油穴内に進入可能であり、かつ、通電によって発光する発光手段と、
を備えたことを特徴とする軸部品における油穴内の異物有無の確認補助装置。
【請求項３】
請求項２に記載の軸部品における油穴内の異物有無の確認補助装置において、
前記発光手段は、
発光ダイオードと、
この発光ダイオードの頭部を一端に嵌挿させた筒状の連結部材と、
この連結部材の他端に基部が嵌挿され透明性を有する棒状の補助部材と、
を含むことを特徴とする軸部品における油穴内の異物有無の確認補助装置。
【請求項４】
請求項２または３に記載の軸部品における油穴内の異物有無の確認補助装置において、
前記軸部品の前記第１油穴内に前記補助部材を進入させた時に前記補助部材における前記第２油孔と対向する部分の表面を凹凸化したことを特徴とする軸部品における油穴内の異物有無の確認補助装置。
【発明の詳細な説明】
【技術分野】
【０００１】
本発明は、軸部品における油穴内の異物有無の確認方法およびその補助装置に係り、より詳しくは、直径１０〜２０ｍｍ、長さ５０〜１００ｍｍの棒状体を成し、一端面のほぼ中心に軸中心線に沿って延びる直径３〜１０ｍｍ、深さ４５〜９０ｍｍの第１油穴を穿設し、かつこの第１油穴に貫通する直径３〜５ｍｍの第２油孔を外周面に有し、さらにショットが投射された軸部品における前記第１油穴内の異物の有無を確認する方法およびその補助装置に関する。
【背景技術】
【０００２】
近年、上述した軸部品の疲労強度を向上させるなどの理由からこの軸部品に小径のショットを投射することが行われている。
なお、この技術について記載した刊行物は発見できなかった。
【発明の開示】
【発明が解決しようとする課題】
【０００３】
ところで、上述の軸部品における第１油穴内の異物有無の確認は、現在のところ、第２油孔から目視によって行うのがコスト的に最も良いとされている。
しかし、この方法では、第１油穴および第２油孔が非常に小径であるため、目視による異物有無の確認は非常に困難であった。
【０００４】
本発明は上記の事情に鑑みてなされたもので、その目的は、小径の軸部品の一端面に軸中心線に沿って穿設した比較的深い小径の第１油穴の異物有無の確認を、容易に行い得るように補助する方法およびその装置を提供することにある。
【課題を解決するための手段】
【０００５】
上記の問題を解消するために本発明の軸部品における油穴内の異物有無の確認方法は、直径１０〜２０ｍｍ、長さ５０〜１００ｍｍの棒状体を成し、一端面のほぼ中心に軸中心線に沿って延びる直径３〜１０ｍｍ、深さ４５〜９０ｍｍの第１油穴を穿設し、かつこの第１油穴に貫通する直径３〜５ｍｍの第２油孔を外周面に有し、さらにショットが投射された軸部品における前記第１油穴内の異物の有無を確認する方法であって、前記軸部品における一端面から前記第１油穴に棒状の発光手段を挿入して前記第１油穴内を照らすとともに、前記第１油穴内の異物の有無を前記第２油孔から目視によって確認することを特徴とする。
【発明の効果】
【０００６】
上記の説明から明らかなように本発明は、直径１０〜２０ｍｍ、長さ５０〜１００ｍｍの棒状体を成し、一端面のほぼ中心に軸中心線に沿って延びる直径３〜１０ｍｍ、深さ４５〜９０ｍｍの第１油穴を穿設し、かつこの第１油穴に貫通する直径３〜５ｍｍの第２油孔を外周面に有し、さらにショットが投射された軸部品における前記第１油穴内の異物の有無を確認する方法であって、前記軸部品における一端面から前記第１油穴に棒状の発光手段を挿入して前記第１油穴内を照らすとともに、前記第１油穴内の異物の有無を前記第２油孔から目視によって確認するから、小径の軸部品の一端面に軸中心線に沿って穿設した比較的深い小径の第１油穴の異物有無の確認を、極めて容易に行なうことができるなどの優れた実用的効果を奏する。
【発明を実施するための最良の形態】
【０００７】
本発明を適用した軸部品における油穴内の異物有無の確認補助装置の一実施例について図１および図２に基づき詳細に説明する。本異物有無の確認補助装置は、軸部品１を支持可能な支持手段２と、この支持手段２に装着され前記軸部品１が支持手段２上の所定位置にセットされる際に前記軸部品１の第１油穴３内に進入可能であり、つか、通電によって発光する発光手段４とで構成してある。そして、この発光手段４は、発光ダイオード５と、この発光ダイオード５の頭部を一端に嵌挿させた筒状の連結部材６と、この連結部材６の他端に基部が嵌挿され透明性を有する棒状の補助部材７を備えている。また、前記補助部材７においては、前記軸部品１の第１油穴３内に前記補助部材７を進入させた時に補助部材７における第２油孔８・８と対向する部分９・９の表面を凹凸化してある。
【０００８】
このように構成したものは、例えば、直径１６．８ｍｍ、長さ８０．７ｍｍの棒状体を成し、一端面のほぼ中心に軸中心線に沿って延びる直径６．０ｍｍ、深さ７６．２ｍｍの第１油穴３を穿設し、かつこの第１油穴３に貫通する直径３．０ｍの第２油孔８・８を外周面に有し、さらにショットが投射された軸部品１における一端面から第１油穴３に棒状の発光手段４を挿入して第１油穴３内を照らすと、第１油穴３内の異物としてのショットの有無を第２油孔８から目視によって確認することができる。
【図面の簡単な説明】
【０００９】
【図１】本発明を適用した軸部品における油穴内の異物有無の確認補助装置の一実施例を示す正面図である。
【符号の説明】
【００１０】
２    支持手段
４    発光手段
【図１】
2007248099.tif 000003
(57)【要約】      （修正有）【課題】振動子ホルダーの腐食を防止して使用寿命を長く維持できるようにすると共に、酸化腐食物の含まれていない人体に無害で清潔な噴霧ができる超音波加湿器の振動子装置を提供する。【解決手段】加湿器１の水タンク３に設置される水槽室１Ａから送水管２を通じて霧化室１Ｂに供給される水を発振作用により霧化させる振動子を設置する為の振動子ホルダー４を、酸化腐食のできない合成樹脂（Ｐｌａｓｔｉｃ）製で形成する。【選択図】図１
2007248038.tif 000002
【特許請求の範囲】
【請求項１】
加湿器（１）の水タンク（３）に設置される水槽室（１Ａ）の水が送水管（２）を通じて供給される水を霧化させる霧化室（１Ｂ）の底（１０１）には、振動子ホルダー（４）を固定した支持板（５）をボルト（６）で固定し、
前記の支持板（５）には回路基板（８）が固定された放熱板（７）を固定し、振動子ホルダー（４）にはパッキング（１０）と振動子（９）を挿入して、カバー（１１）をボルト（６）で固定してできた物において、
支持板（５）の孔（５Ａ）には振動子ホルダー（４）を酸化腐食のできない合成樹脂で成形し、堅固に結着したのを特徴とする超音波加湿器の振動子装置。
【発明の詳細な説明】
【発明が属する技術分野及びその分野の従来技術】
【０００１】
本発明は乾燥した室内を適宜の湿度に維持させる為の超音波加湿器の振動子装置に関するものである。
【０００２】
もっと詳細には、水タンクが設置される加湿器の水槽室の水が、送水管を通じて霧化室に供給される水を発振作用により霧化させる振動子を設置する為の振動子ホルダーを酸化腐食できない合成樹脂（Plastic）製に形成し、使用寿命を長く維持できるようにすると共に、酸化腐食物の含まれていない人体に無害で清潔な噴霧ができるようにしたのである。
【０００３】
従来は図３に示されたように霧化室（１B）の底（１０１）に振動子ホルダー（４０）とケース（５０）及び回路基板（８）をボルト（６）で固定し、振動子ホルダー（４０）内には振動子（９０）を挿入し、カバー（１１０）をボルト（６０）で固定した構造で構成したのである。
【０００４】
これは霧化室（１B）の内側に露出された振動子ホルダー（４０）は金属製であるから、長期使用の時、酸化腐食され使用寿命が短く、人体に有害な酸化腐食物が霧化に含まれて噴霧される非衛生的な問題点が生じていた。
【発明が達成しようとする技術的課題】
【０００５】
本発明は上記のような問題点を解決する為に、加湿器（１）の水タンク（３）に設置される水槽室（１Ａ）の水が送水管（２）を通じて供給される水を霧化させる霧化室（１Ｂ）の底（１０１）には、振動子ホルダー（４）を固定した支持板（５）をボルト（６）で固定し、
前記の支持板（５）には回路基板（８）が固定された放熱板（７）を固定し、振動子ホルダー（４）にはパッキング（１０）と振動子（９）を挿入して、カバー（１１）をボルト（６）で固定してできた物において、
支持板（５）の孔（５Ａ）には振動子ホルダー（４）を酸化腐食のできない合成樹脂で成形し、堅固に結着して酸化腐食を防止し使用寿命を長く維持できるようにすると共に、人体に有害な酸化腐食物が含まれていない非常に潔らかな噴霧ができるようにした超音波加湿器の振動子装置が提供できるようにしたことにその目的がある。
【発明の構成】
【０００６】
以下、本発明を添付図面によって詳細に説明すると次のようである。
図１は本発明の断面図で、
図２は本発明の重要部分の断面図として、
図１乃至図２に図示されたように
加湿器（１）の水タンク（３）に設置される水槽室（１Ａ）の水が送水管（２）を通じて供給される水を霧化させる霧化室（１Ｂ）の底（１０１）には、振動子ホルダー（４）を固定した支持板（５）をボルト（６）で固定し、
前記の支持板（５）には回路基板（８）が固定された放熱板（７）を固定し、振動子ホルダー（４）にはパッキング（１０）と振動子（９）を挿入して、カバー（１１）をボルト（６）で固定してできた物において、
支持板（５）の孔（５Ａ）には振動子ホルダー（４）を酸化腐食のできない合成樹脂で成形し、堅固に結着したのを特徴としたのである。
【０００７】
このようにしてなった本発明は加湿器（１）の水タンク（３）に設置される水槽室（１Ａ）の水は、図１に図示されたように送水管（２）を通じて霧化室（１Ｂ）に供給され、霧化室（１Ｂ）の水は振動子（９）の発振作用により霧のような霧化状態となって室内に排出されるのは従来の超音波加湿器の作動と同一である。
【０００８】
上記において本発明は霧化室（１Ｂ）の底にボルト（６）で固定される支持板（５）孔（５Ａ）に合成樹脂製の振動子ホルダー（４）を堅固に結着したので、合成樹脂製の振動子ホルダー（４）は酸化腐食可能な金属とは異なり、長期使用時にも酸化腐食されることなくほぼ半永久的に寿命を維持することができると共に、人体に非常に有害な酸化腐食物の含まれた噴霧を防止することができる。
【０００９】
そして図２でわかることのできるように、合成樹脂製の振動子ホルダー（４）は金属製の支持板（５）の孔（５Ａ）の外側の両面に広く覆われるように結着するから、振動子ホルダー（４）を別に作出すると支持板（５）の孔（５Ａ）に堅固に固定することができない。
【００１０】
この由、射出機により支持板（５）の孔（５Ａ）の両面から振動子ホルダー（４）を射出成形して形成するのが望ましい。
【００１１】
合成樹脂は耐水性、耐熱性、耐薬品性、耐久性が非常に優れているから強度の強い合成樹脂ならどんなものを使用してもよい。
【００１２】
ただ人体に少しでも有害物が影響を与えることはできない。
【００１３】
そして本発明は図面と説明に限定されるのではなく、その要旨から外れない範囲内で変化させることができる。
【発明の開示】
【発明の効果】
【００１４】
このようにしてできた本発明は酸化腐食のできない合成樹脂で振動子ホルダー（４）を非常に合理的に構成したので、酸化腐食防止により使用寿命を長く維持できるようにすると共に、人体に無害な酸化腐食物が含まれていない非常に潔らかな噴霧ができる効果がある。
【図面の簡単な説明】
【００１５】
【図１】本発明の断面図である。
【図２】本発明の重要部分の断面図である。
【図３】従来の重要部分の断面図である。
【符号の説明】
【００１６】
１            加湿器
１Ａ            水槽室
１Ｂ            霧化室
１０１            底
２            送水管
３            水タンク
４            振動子ホルダー
５            支持板
５Ａ            孔
６            ボルト
７            放熱板
８            回路基板
９            振動子
１０            パッキング
１１            カバー
【図１】
2007248038.tif 000003
【図２】
2007248038.tif 000004
【図３】
2007248038.tif 000005
(57)【要約】      （修正有）【課題】メガネの耳パットは夏場、汗ですべり、不快感がある。そこで、夏場でもずれにく、フィット感を高めた耳パッドを提供する。【解決手段】メガネの耳パットにおいて、耳とパットの接触部に横線、スパイラル等の凹凸をつけ、すべり止めとする。凹凸は５ｍｍ間隔でフレ-ムに近い方から５カ所とする。また、パッド素材は柔らかいシリコン製ではなく、従来のプラスチック製とする。パットの色は、無色透明を基本とし、レインボ−カラ−（赤、オレンジ、黄、黄緑、緑、青、紫、ピンク）の８色を加える。また、パットは、フレ−ムに接着剤等で固定するものではなく、着脱可能とする。【選択図】なし【特許請求の範囲】
【請求項１】
メガネパット（耳）に対し、横線、スパイラル等何らかの凸凹をつける。
【請求項２】
また、同様に５ｍｍ間隔で、フレームに近い方から５ヶ所凸凹をつける。
【請求項３】
パット素材は、鼻も耳も同じ、柔らかいシリコン製ではなく、従来のプラスチック製とする。
【請求項４】
パット自体の色は耳も鼻も基本的には、無色透明とするが、カラーバリエーションとして、レインボーカラー（赤、オレンジ、黄、黄緑、緑、青、紫、ピンク）の８色をそれぞれ加える。
【請求項５】
これは耳パットだけに有効であるが、クレーム、とパットは通常接着剤で固定されているが、今回は、取りはずし、再取付け（ｒｅｎｅｗ）可能にし、誰でも楽しめるＴ．Ｐ．Ｏ．のアイテムになることを目指す。
【発明の詳細な説明】
【技術分野】メガネの耳に直接当たる部分に凸凹を施して、すべりにくくし、心地よく装着する耳パットに関するものである。〔背景技術〕夏場汗などで特にすべりやすくなるが、その解決方法として、パットに凸凹をつけるという技術は、今まで、見たことがない。〔発明開示〕今回もやわらかいシリコン製では、皮膚に吸着して不快感があるため、従来のプラスチック製に凸凹をつけることにより、滑りにくくする〔課題を解決するための手段〕耳とパッドの接触部に凸凹をつけすべり止めとし、パッドは柔らかいものではなく、従来のプラスチック製品を用いる
【図１】
2007248481.tif 000002
【手続補正書】
【提出日】平成18年6月8日(2006.6.8)
【手続補正１】
【補正対象書類名】明細書
【補正対象項目名】全文
【補正方法】変更
【補正の内容】
【発明の詳細な説明】
【技術分野】メガネの耳に直接当たる部分に凸凹を施して、すべりにくくし、心地よく装着する耳パットに関するものである。
【背景技術】夏場汗などで特にすべりやすくなるが、その解決方法として、パットに凸凹をつけるという技術は、今まで、見たことがない。
【発明開示】
今回もやわらかいシリコン製では、皮膚に吸着して不快感があるため、従来のプラスチック製に凸凹をつけることにより、滑りにくくする
【課題を解決するための手段】
耳とパッドの接触部に凸凹をつけすべり止めとし、パッドは柔らかいものではなく、従来のプラスチック製品を用いる
【図面の簡単な説明】
【図１】概略図である。
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
メガネパッドイヤーに対し、横線、クロス、スパイラル等の何らかの凸凹をつける。
【請求項２】
パット素材は、耳も柔らかいシリコン製ではなく、従来のプラスチック製とする。
【請求項３】
パッド自体の色は耳も基本的には、無色と黒とするが、カラーバリエーションとして、赤、ピンク、オレンジ、黄、黄緑、青、紫の８色を加え、１０色とする。
【請求項４】
これは耳パッドだけに有効であるが、フレームとパッドは通常接着剤で固定されているが、今回は、取り付け、取りはずしのできるものとし、誰でも楽しめるＴ、Ｐ、Ｏ．のアイテムになることを目指す。
【手続補正２】
【補正対象書類名】明細書
【補正対象項目名】全文
【補正方法】変更
【補正の内容】
【書類名】明細書
【発明の名称】ＮＩＣＥ  ＦＩＴ  ＥＡＲ
【技術分野】
【０００１】本発明はメガネの耳に直接当たる部分に凸凹を施して、滑りにくくし、心地よく接着する耳パットに関するものである。
フレームとパットを取りはずしできるようにし、Ｔ．Ｐ．Ｏ．を楽しめるようにした。
【背景技術】
【０００２】柔らかいシリコン製では、皮膚に吸着して、不快感があるが、従来のプラスチック製に凸凹をつけることにより、滑りにくくなる。パッドの形状も３種類つける。
【課題を解決させるための手段】
【０００３】耳とパッドの接触部に凸凹をつけ、すべり止めとし、パッドは柔らかいものではなく、従来のプラスチック製品を用いる。パッドにもカラーバリエーションをつけ、取りはずし可能なパッドのＴ．Ｐ．Ｏ．を可能にする。
【発明を実施するための最良の形態】
【０００４】透明、黒、赤、ピンク、オレンジ、黄色、黄緑、緑、青、紫の１０色のカラーバリエーション。
【発明の効果】
【０００５】パッドは柔らかいものの方が、雨とか汗をかいた時に肌に吸着しやすいので、従来のプラスチックパッドを使う。フレームと接着していないので、色々な色のパッドと変更することができ、Ｔ．Ｐ．Ｏ．を楽しむことができる。
また、パッドを変更するときパッドとフレームがずれないようにゴムのすべり止めも考えた。これでフレームとパッドがしっくりと止まる。
従来のプラスチックパッドに凸凹を入れることで、耳との接触面を小さくし、これによって、滑り止めになり、フィット感がよくなる。色も８色そろえ、楽しむことができる。
【図面の簡単な説明】
【０００６】
【図１】雨のしずくの様な突起をつけ、すべり止めプラスフィット感を良くする。
パット取りはずし状態を可能にする。
【図２】パットにクロスの切込みを入れ、凸凹をつける。上と同様すべり止めをつけ、フィット感を良くする。
【図３】ななめのクリスタルデザインのすべり止め。
【符号の説明】
【０００７】パットを取りはずし可能状態にするゴムでパット止めをつける。
カラーバリエーションを８色そろえる。
【手続補正３】
【補正対象書類名】図面
【補正対象項目名】全図
【補正方法】変更
【補正の内容】
【書類名】図面
【図１】
2007248481.tif 000003
【図２】
2007248481.tif 000004
【図３】
2007248481.tif 000005